(57)【要約】      （修正有）【課題】商用電源のない場所でも、また、ＡＣアダプタ部を使用せずに携帯電子機器等の二次電池部を充電することができ、充電に関して多機能であり、携帯に便利であると共に、同時に複数の異なる携帯電子機器を充電することができる充電装置を提供する。【解決手段】充電装置１００は、ＡＣ入力端子とＤＣ出力端子とを有するＡＣアダプタ部１０と、ＤＣ入力端子及び少なくとも１つのＵＳＢ出力端子を有し、ＡＣアダプタ部に着脱可能に接続される二次電池部２０とを備える。さらに、ＡＣアダプタ部１０と二次電池部２０とは互いに独立した筐体１１、２１を有し、ＡＣアダプタ部と二次電池部とのいずれか一方にスライド溝が設けられ、ＡＣアダプタ部と二次電池部とのいずれか他方にスライド溝に着脱自在に滑動嵌合するスライドレール１１ｃが設けられ、ＡＣアダプタ部と二次電池部とは互いにスライドして機械的に結合される際に、ＤＣ出力端子とＤＣ入力端子とが電気的に接続されるように構成されている。【選択図】図１
0003178882.tif 000002
【実用新案登録請求の範囲】
【請求項１】
商用電源より交流電力を入力するためのＡＣ入力端子と、直流電力を出力するＤＣ出力端子とを有し、前記ＡＣ入力端子から入力された交流電力を直流電力に変換し、接続された二次電池を直接的に充電するか又は携帯電子機器内の二次電池を充電するＡＣアダプタ部と、
二次電池を内蔵し、直流電力を入力するＤＣ入力端子及び携帯電子機器へ給電する少なくとも１つのＵＳＢ出力端子を有し、前記ＡＣアダプタ部に着脱可能に接続される二次電池部とを備え、
前記ＡＣアダプタ部と前記二次電池部とは互いに独立した筐体を有し、前記ＡＣアダプタ部と前記二次電池部とのいずれか一方にスライド溝が設けられ、前記ＡＣアダプタ部と前記二次電池部とのいずれか他方に前記スライド溝に着脱自在に滑動嵌合するスライドレールが設けられ、前記ＡＣアダプタ部と前記二次電池部とは互いにスライドして機械的に結合される際に、前記ＤＣ出力端子と前記ＤＣ入力端子とが電気的に接続されるように構成されていることを特徴とする充電装置。
【請求項２】
前記二次電池部は、直流電力を入力するためのマイクロＵＳＢ入力端子をさらに備えていることを特徴とする請求項１に記載の充電装置。
【請求項３】
前記ＡＣアダプタ部は、携帯電子機器へ給電するためのＵＳＢ出力端子をさらに備えていることを特徴とする請求項１又は２に記載の充電装置。
【考案の詳細な説明】
【技術分野】
【０００１】
本考案は、携帯電話機、スマートフォン、携帯音楽プレーヤ、携帯ゲーム機、デジタルカメラ及びタブレットＰＣ等の携帯電子機器を充電するための充電装置に関する。
【背景技術】
【０００２】
近年、携帯電話機、スマートフォン、携帯音楽プレーヤ、携帯ゲーム機、デジタルカメラ及びタブレットＰＣをはじめとした小型の電子機器が普及している。このような小型の電子機器は、携帯して利用することを目的としているため、内蔵する蓄電池（二次電池）を必要に応じて充電しながら利用する構造となっている。このような二次電池を充電するための充電器としては、商用電源に接続してＡＣ／ＤＣ変換して充電を行うものが一般的である。しかしながら、商用電源を得られない場所では、充電することが不可能である。
【０００３】
そのため、商用電源のない場所でも充電が可能な携帯情報端末用充電器が提案されている（例えば、特許文献１）。
【０００４】
特許文献１に記載の携帯情報端末用充電器は、充電用ＡＣアダプタに二次電池を内蔵させ、携帯電話用のＤＣコネクタとその他携帯情報端末用のＵＳＢ（ユニバーサル・シリアル・バス）ポートを備え、状況に応じてＡＣ電源からＤＣコネクタ若しくはＵＳＢポートを介するＤＣ電源供給、内蔵した二次電池からＤＣコネクタ若しくはＵＳＢポートを介するＤＣ電源供給、又はＡＣ電源から二次電池への充電を選択することができるように構成されている。
【０００５】
また、近年、図１２に示すように、充電用ＡＣアダプタ部２と二次電池部３とを互いに独立した筐体で形成し、必要に応じて両者を接続して使用する充電器１が提案されている。この充電器１では、ＡＣアダプタ部２とＵＳＢ出力端子４を有する二次電池部３とを接続した状態で商用電源から二次電池に充電を行い、充電完了後、ＡＣアダプタ部２を外して、二次電池部３のみを持ち出すことができる。外出先では、二次電池部３に溜めた電力から携帯電子機器に給電することができる。
【先行技術文献】
【特許文献】
【０００６】
【特許文献１】実用新案登録第３１２４５５４号公報
【考案の概要】
【考案が解決しようとする課題】
【０００７】
しかしながら、特許文献１に記載の携帯情報端末用充電器は、充電用ＡＣアダプタと二次電池とが一体的に構成されているため、体積が大きく携帯に不便である。
【０００８】
また、図１２に示す従来の充電器の場合は、充電された二次電池部のみを持ち出しすることができるから携帯に便利ではあるが、その場合、外出先で二次電池部への電力補充（再充電）を行うことはできない。また、二次電池部が持ち出された場合、ＡＣアダプタ部を他の電子機器への給電に利用できないという問題点があった。さらに、１つのＵＳＢ出力端子だけを有するため、充電可能な携帯電子機器の種類が限られてしまうという問題点があった。
【０００９】
従って、本考案は従来技術の上述した問題点を解消するものであり、本考案の目的は、商用電源のない場所でも、また、ＡＣアダプタ部を使用せずに携帯電子機器等の二次電池部を充電することができる充電装置を提供することにある。
【００１０】
本考案の他の目的は、充電に関して多機能であり、携帯に便利な充電装置を提供することにある。
【００１１】
本考案のさらに他の目的は、同時に複数の異なる携帯電子機器を充電することができる充電装置を提供することにある。
【課題を解決するための手段】
【００１２】
本考案によれば、充電装置は、商用電源より交流電力を入力するためのＡＣ入力端子と、直流電力を出力するＤＣ出力端子とを有し、ＡＣ入力端子から入力された交流電力を直流電力に変換し、接続された二次電池を直接的に充電するか又は携帯電子機器内の二次電池を充電するＡＣアダプタ部と、二次電池を内蔵し、直流電力を入力するＤＣ入力端子及び携帯電子機器へ給電する少なくとも１つのＵＳＢ出力端子を有し、ＡＣアダプタ部に着脱可能に接続される二次電池部とを備え、ＡＣアダプタ部と二次電池部とは互いに独立した筐体を有し、ＡＣアダプタ部と二次電池部とのいずれか一方にスライド溝が設けられ、ＡＣアダプタ部と二次電池部とのいずれか他方にスライド溝に着脱自在に滑動嵌合するスライドレールが設けられ、ＡＣアダプタ部と二次電池部とは互いにスライドして機械的に結合される際に、ＤＣ出力端子とＤＣ入力端子とが電気的に接続されるように構成されている。
【００１３】
ＡＣアダプタ部と二次電池部とは互いに独立した筐体を有することにより、充電された二次電池部のみを持ち出しすることができ、持ち出し部分が軽量かつコンパクトであり、携帯に非常に便利である。また、ＡＣアダプタ部と二次電池部とは、スライド式着脱可能に構成されているため、低コストで製造することができ、着脱作業が簡単になる。
【００１４】
二次電池部は、直流電力を入力するためのマイクロＵＳＢ入力端子をさらに有することが好ましい。これにより、外出先でＡＣアダプタ部を使用せず、ＰＣ（パーソナルコンピュータ）等のＵＳＢ出力端子を備える機器から二次電池部への電力補充（再充電）が可能になる。
【００１５】
二次電池部は、満充電検出機能を有する充電制御回路を備え、充電制御回路は、ＤＣ入力端子又はマイクロＵＳＢ出力端子から直流電力が入力される場合、二次電池部のＵＳＢ出力端子に接続されている携帯電子機器を充電した後、二次電池を充電するように構成されていることが好ましい。これにより、携帯電子機器への充電が優先的に行うことができる。
【００１６】
二次電池部は、携帯電子機器へ同時に給電可能な２つのＵＳＢ出力端子を備え、２つのＵＳＢ出力端子のうちの少なくとも一方はＵＳＢ３．０規格のＵＳＢ出力端子であることが好ましい。これにより、同時に複数の異なる携帯電子機器を充電することができ、さらに、ＵＳＢ３．０規格のＵＳＢ出力端子を用いてタブレットＰＣ等を充電することができる。
【００１７】
ＡＣアダプタ部は、携帯電子機器へ給電するためのＵＳＢ出力端子をさらに有することが好ましい。これにより、二次電池部を持ち出した場合でもＡＣアダプタ部を用いて携帯電子機器を充電することができる。
【００１８】
二次電池部は、二次電池の残量を表示する残量表示手段をさらに備えることが好ましい。これにより、携帯電子機器へ電力を供給する際に、二次電池の残量を確認することができる。
【考案の効果】
【００１９】
本考案によれば、ＡＣアダプタ部と二次電池部とは互いに独立した筐体を有することにより、充電された二次電池部のみを持ち出しすることができ、持ち出し部分が軽量かつコンパクトであり、携帯に非常に便利である。また、ＡＣアダプタ部と二次電池部とは、スライド式着脱可能に構成されているため、低コストで製造することができ、着脱作業が簡単になる。
【００２０】
また、二次電池部は、直流電力を入力するためのマイクロＵＳＢ入力端子をさらに有することにより、外出先でＡＣアダプタ部を使用せず、ＰＣ等ＵＳＢ出力端子を備える機器から二次電池部への電力補充（再充電）又は携帯電子機器を充電することができる。
【００２１】
さらに、二次電池部は、携帯電子機器へ同時に給電可能な２つのＵＳＢ出力端子を備え、２つのＵＳＢ出力端子のうちの少なくとも一方はＵＳＢ３．０規格のＵＳＢ出力端子であることで、同時に複数の異なる携帯電子機器を充電することができ、さらに、ＵＳＢ３．０規格のＵＳＢ出力端子を用いてタブレットＰＣ等を充電することができる。
【図面の簡単な説明】
【００２２】
【図１】本考案の一実施形態における充電装置の構成を概略的に示す斜視図である。
【図２】図１の実施形態における充電装置のＡＣアダプタ部の連結接続部の構造を示す平面図である。
【図３】図１の実施形態における充電装置の蓄電部の連結接続部の構造を示す平面図である。
【図４】図１の実施形態における充電装置におけるＡＣアダプタ部の回路を概略的に示す図である。
【図５】図１の実施形態における充電装置の二次電池部の回路を概略的に示す図である。
【図６】図１の実施形態における充電装置における二次電池部を充電する例を示す斜視図である。
【図７】図１の実施形態における充電装置の二次電池部を用いて充電する例を示す斜視図である。
【図８】図１の実施形態における充電装置を用いて携帯電子機器を充電する例を示す斜視図である。
【図９】図１の実施形態における充電装置のＡＣアダプタ部を用いて充電する例を示す斜視図である。
【図１０】ＰＣから二次電池部を充電する例を示す斜視図である。
【図１１】ＰＣから二次電池部を介して携帯電子機器を充電する例を示す斜視図である。
【図１２】従来の充電器の構成を概略的に示す平面図である。
【考案を実施するための形態】
【００２３】
以下、本考案に係る充電装置の一実施形態を、図を参照して説明する。
【００２４】
図１は本考案の一実施形態として、充電装置の構成を概略的に示しており、図２は本実施形態における充電装置のＡＣアダプタ部の連結接続部の構造を示しており、図３は本実施形態における充電装置の二次電池部の連結接続部の構造を示しており、図４はＡＣアダプタ部の回路を示しており、図５は二次電池部の回路を示している。
【００２５】
図１〜図５に示すように、充電装置１００は、ＡＣアダプタ部１０と、二次電池部２０とから主として構成される。携帯電子機器の充電には、充電／蓄電用ＵＳＢケーブル３０が使用される（図７参照）。充電装置１００で充電可能な携帯電子機器は、例えば、携帯電話、スマートフォン（例えば、ｉＰｈｏｎｅ（登録商標））、携帯音楽プレーヤ、携帯ゲーム機、デジタルカメラ、及びタブレットＰＣ（例えば、ｉＰａｄ（登録商標））等である。
【００２６】
ＡＣアダプタ部１０は、交流電力を直流電力に変換し、接続された二次電池を直接的に充電するか又は接続された携帯電子機器内の二次電池を充電するためのものである。このＡＣアダプタ部１０は、筐体１１と、商用電源より交流電力を入力するＡＣ入力端子であるＡＣプラグ１２と、直流電力を出力するＤＣ出力端子１３ａ及び１３ｂと、携帯電子機器へ給電するためのＵＳＢ出力端子１４と、交流電力を直流電力に変換する交流−直流変換回路１５とを備えている。
【００２７】
筐体１１は、略直方体形状を有し、一端に二次電池部２０に着脱可能な連結接続部１１ａが形成されている。連結接続部１１ａは、筐体１１の一端の端面中央部から突出した凸部１１ｂの両側にスライドレール１１ｃが設けられている。凸部１１ｂの一端側にＤＣ出力端子１３ａ及び１３ｂを配置する端子装着部１１ｄが形成され、ＤＣ出力端子１３ａ及び１３ｂの間に傾斜底面を有する溝１１ｅが設けられ、溝１１ｅの延長線方向にストッパ２１ｅが進入可能な凹部１１ｆが設けられている。
【００２８】
ＡＣプラグ１２は、商用電源のコンセントに接続して給電を受けるものであり、筐体１１の収納部１２ａに回動可能に装着され、非使用時は収納部１２ａに収納され、使用時は回動により筐体１１の表面から突出することができる。
【００２９】
ＤＣ出力端子１３ａ及び１３ｂは、導電材料から形成され、端子装着部１１ｄに装着されている。
【００３０】
ＵＳＢ出力端子１４は、ＵＳＢポートであり、筐体１１の連結接続部１１ａ側に配置されている。
【００３１】
交流−直流変換回路１５は、筐体１１の内部に収納され、交流電力を直流電力に変換するものであり、図４に示すように、交流−直流変換回路１５は、一次側整流回路１５ａ、スイッチング回路１５ｂ、変圧回路１５ｃ、二次側整流回路１５ｄなどから構成され、コンセントより得た交流電流を、一次側整流回路１５ａによって整流平滑化し、得られた直流電流をスイッチング回路１５ｂで断続し交流にし、得られた交流電流を変圧回路１５ｃによって電圧を降下（降圧）させた後、二次側整流回路１５ｄによって整流平滑化し、安定化させた直流電流を出力する。交流−直流変換回路１５から出力された直流電力は、例えば、電圧４．７５Ｖ〜５．４Ｖ、電流８００ｍＡである。
【００３２】
二次電池部２０は、ＡＣアダプタ部１０に着脱可能で、蓄電と携帯電子機器を充電するものである。この二次電池部２０は、筐体２１と、直流電力を入力するＤＣ入力端子２２ａ及び２２ｂと、直流電力を入力するためのマイクロＵＳＢ入力端子２３と、充放電回路２４と、内蔵の二次電池としてのリチウムイオン電池２５と、携帯電子機器へ給電するＵＳＢ出力端子２６ａ及び２６ｂと、リチウムイオン電池２５の残量を表示する残量表示手段としての残量表示ランプ２７とを備えている。
【００３３】
筐体２１は、略直方体形状を有し、一端にＡＣアダプタ部１０が着脱可能な連結接続部２１ａが形成されている。連結接続部２１ａは、筐体２１の一端の端面中央部に形成された凹部２１ｂの両側にスライド溝２１ｃが設けられている。凸部２１ｂの一端側にＤＣ入力端子２２ａ及び２２ｂが突出可能に配置される端子装着部２１ｄが形成され、ＤＣ入力端子２２ａ及び２２ｂの間に筐体１１の凹部１１ｆに進入可能なストッパ２１ｅが設けられている。ストッパ２１ｅは、弾性を有し、ＡＣアダプタ部１０をスライドし装着又は取り外しの際に、高さ方向に押圧され変形可能である。
【００３４】
ＤＣ入力端子２２ａ及び２２ｂは、導電材料から形成され、端子装着部２１ｄから突出可能に装着されている。このＤＣ入力端子２２ａ及び２２ｂは端子装着部２１ｄから突出するように常時付勢されている。
【００３５】
マイクロＵＳＢ入力端子２３は、ＰＣ等の電子機器から直流電力を入力するためのものであり、凹部２１ｂの中央部に設けられている。ＡＣアダプタ部１０が二次電池部２０から取り外した場合には、利用可能となる。
【００３６】
充放電回路２４は、筐体２１の内部に収納され、リチウムイオン電池２５への充電、及びリチウムイオン電池２５から携帯電子機器への放電を行うものである。図５に示すように、充放電回路２４は、充電回路２４ａと、放電回路２４ｂと、制御回路２４ｃとを備えている。制御回路２４ｃは、リチウムイオン電池２５への充電、及びリチウムイオン電池２５から携帯電子機器への放電、又はＰＣ等の電子機器から携帯電子機器への充電を制御するものである。
【００３７】
リチウムイオン電池２５は、電気を蓄え、外出先で携帯電子機器に電力を供給するためのものである。リチウムイオン電池２５の容量は、例えば、２３００ｍＡｈである。
【００３８】
ＵＳＢ出力端子２６ａ及び２６ｂは、リチウムイオン電池２５から電力を出力するためのものである。この実施形態において、ＵＳＢ出力端子２６ａはＵＳＢ２．０規格（出力電流０．５Ａ）で、一般的な携帯電話等の携帯電子機器に接続するものであり、ＵＳＢ出力端子２６ｂはＵＳＢ３．０規格（単独接続される場合、最大出力電流１．５Ａ）で、大電流が必要とされるタブレットＰＣ等の携帯電子機器に接続するものである。
【００３９】
残量表示ランプ２７は、３色ＬＥＤであり、リチウムイオン電池２５の残量の「多→少」に対して、「緑→オレンジ→赤」で表示する。この残量表示ランプ２７は、筐体２１の片面の中央部に配置されている。
【００４０】
充電／蓄電用ＵＳＢケーブル３０は、一端がＵＳＢ端子３１で、他端がマイクロＵＳＢ端子３２である。この充電／蓄電用ＵＳＢケーブル３０を用いて、ＰＣ等の電子機器のＵＳＢ端子とマイクロＵＳＢ入力端子２３とを接続することができ、また、ＵＳＢ出力端子２６ａ又は２６ｂと携帯電子機器とを接続することができ、さらに、ＡＣアダプタ部１０のＵＳＢ出力端子１４と携帯電子機器とを接続することができる。
【００４１】
以下、図６〜図１１を参照して、充電装置１００の使用方法を説明する。図６は、商用電源のコンセントＣから充電装置１００の二次電池部２０に充電する例を示しており、図７は充電された二次電池部２０から携帯電子機器に充電する例を示しており、図８はコンセントＣから充電装置１００を介して携帯電子機器に充電すると共にこの充電装置１００の二次電池部２０に充電する例を示しており、図９は商用電源のコンセントＣから充電装置１００のＡＣアダプタ部１０のみを用いて携帯電子機器に充電する例を示しており、図１０はＰＣから二次電池部２０に充電する例を示しており、図１１はＰＣから二次電池部２０を介して携帯電子機器に充電すると共にこの二次電池部２０に充電する例を示している。
【００４２】
図６に示すように、本実施形態の充電装置１００において、商用電源のコンセントＣから二次電池部２０に内蔵されたリチウムイオン電池２５を充電する場合は、ＡＣアダプタ部１０と二次電池部２０とを連結接続した状態で、ＡＣプラグ１２をコンセントＣに差し込み、充電を行う。
【００４３】
図７に示すように、充電された二次電池部２０のみを用いて携帯電子機器を充電する場合は、付属の充電／蓄電用ＵＳＢケーブル３０、又は別途用意したＵＳＢケーブルを用いて二次電池部２０と携帯電子機器とを接続して、リチウムイオン電池２５から携帯電子機器への充電を行う。商用電源が不要であり、ＡＣアダプタ１２も不要であるため、外出先などで非常に利便が大きい。
【００４４】
図８に示すように、商用電源のコンセントＣから充電装置１００を介して携帯電子機器を充電すると共にこの充電装置１００の二次電池部２０に充電する場合は、ＡＣアダプタ部１０と二次電池部２０とを連結接続した状態で、ＡＣプラグ１２をコンセントＣに差し込み、付属の充電／蓄電用ＵＳＢケーブル３０、又は別途用意したＵＳＢケーブルを用いて二次電池部２０と携帯電子機器とを接続して、充電を行う。この場合、充電制御回路２４により携帯電子機器を優先的に充電し、携帯電子機器への充電完了後、内蔵のリチウムイオン電池２５の充電に移行する。
【００４５】
図９に示すように、ＡＣアダプタ部１０のみを介して携帯電子機器を充電する場合は、ＡＣアダプタ部１０のＡＣプラグ１２を商用電源のコンセントＣ（又はＴ）に差し込み、付属の充電／蓄電用ＵＳＢケーブル３０、又は別途用意したＵＳＢケーブルを用いて二次電池部２０と携帯電子機器とを接続して、充電を行う。図９（ａ）はコンセントがテーブルタップＴの場合の使用状態を示しており、図９（ｂ）は壁コンセントＣの場合の使用状態を示している。二次電池部２０が不要であるため、この二次電池部２０を他の目的、例えば他の携帯電話機器の充電などに用いることができる。
【００４６】
図１０に示すように、ＰＣ等ＵＳＢ端子を有する機器から二次電池部２０への電力補充（再充電）を行う場合は、付属の充電／蓄電用ＵＳＢケーブル３０、又は別途用意したＵＳＢケーブルを用いてＰＣと二次電池部２０とを接続して、ＰＣからの電力で内蔵するリチウムイオン電池２５への充電を行う。ＡＣアダプタ部１０を用いることなく、ＰＣから二次電池部２０への充電ができるため、ＡＣアダプタ部１０が存在しない場合や、商用電源が得られない場合などの外出先で二次電池部２０の充電が可能となる。
【００４７】
図１１に示すように、ＰＣ等のＵＳＢ端子を有する機器から蓄電部２０を介して携帯電子機器を充電すると共にこの二次電池部２０に充電する場合は、付属の充電／蓄電用ＵＳＢケーブル３０、又は別途用意したＵＳＢケーブルを用いてＰＣと二次電池部２０のマイクロＵＳＢ端子３２とを接続し、また、二次電池部２０と携帯電子機器とを接続して、充電を行う。この場合、充電制御回路２４により携帯電子機器を優先的に充電し、携帯電子機器への充電完了後、内蔵のリチウムイオン電池２５の充電に移行する。
【００４８】
以上説明したように、本実施形態の充電装置１００は、ＡＣアダプタ部１０と、二次電池部２０とを備え、ＡＣアダプタ部１０と二次電池部２０とは互いに独立した筐体を有し、二次電池部２０にスライド溝２１ｃが設けられ、ＡＣアダプタ部１０には、二次電池部２０のスライド溝２１ｃに着脱自在に滑動嵌合するスライドレール１１ｃが設けられ、ＡＣアダプタ部１０と二次電池部２０とは互いにスライドして機械的に結合される際に、ＤＣ出力端子１３ａ及び１３ｂとＤＣ入力端子２２ａ及び２２ｂとは電気的に接続されるように構成されている。
【００４９】
これにより、充電された二次電池部２０のみを持ち出しすることができ、持ち出し部分が軽量かつコンパクトであり、携帯に非常に便利である。また、ＡＣアダプタ部１０と二次電池部２０とは、スライド式着脱可能に構成されているため、低コストで製造することができ、着脱作業が簡単になる。
【００５０】
また、二次電池部２０は、直流電力を入力するためのマイクロＵＳＢ入力端子２３を有することで、外出先でＡＣアダプタ部１０を使用せず、ＰＣ等ＵＳＢ出力端子を備える機器から二次電池部２０への電力補充（再充電）又は携帯電子機器を充電することができる。
【００５１】
さらに、二次電池部２０は、携帯電子機器へ同時に給電可能な２つのＵＳＢ出力端子２６ａ、２６ｂを備え、うち１つのＵＳＢ出力端子はＵＳＢ３．０規格のものであることで、同時に複数の異なる携帯電子機器を充電することができ、さらに、ＵＳＢ３．０規格のＵＳＢ出力端子を用いてタブレットＰＣ等を充電することができる。
【００５２】
なお、上述した実施形態においては、二次電池部２０は、携帯電子機器へ給電する２つのＵＳＢ出力端子を有する構成としたが、本考案はこれに限定されるものではなく、例えば、１つのＵＳＢ出力端子又は３つ以上のＵＳＢ出力端子を有する構成にしてもよい。
【００５３】
また、上述した実施形態において、ＡＣアダプタ部１０は、携帯電子機器へ給電するためのＵＳＢ出力端子１４を有する例について説明したが、本考案はこれに限定されるものではない。ＵＳＢ出力端子１４を設けなくてもよいし、他種の出力端子を設けてもよい。
【００５４】
また、上述した実施形態において、二次電池部２０は、直流電力を入力するためのマイクロＵＳＢ入力端子２３を有する例について説明したが、本考案はこれに限定されるものではない。マイクロＵＳＢ入力端子２３を設けなくてもよいし、他種の入力端子を設けてもよい。
【００５５】
以上述べた実施形態は全て本考案を例示的に示すものであって限定的に示すものではなく、本考案は他の種々の変形態様及び変更態様で実施することができる。従って本考案の範囲は特許請求の範囲及びその均等範囲によってのみ規定されるものである。
【産業上の利用可能性】
【００５６】
本考案は、携帯電話機、スマートフォン、携帯音楽プレーヤ、携帯ゲーム機、デジタルカメラ、及びタブレットＰＣ等の携帯電子機器に充電する目的に利用できる。
【符号の説明】
【００５７】
１０  ＡＣアダプタ部
１１  筐体
１１ａ  連結接続部
１１ｂ  凸部
１１ｃ  スライドレール
１１ｄ  端子装着部
１１ｅ  溝
１１ｆ  凹部
１２  ＡＣプラグ
１２ａ  収納部
１３ａ、１３ｂ  ＤＣ出力端子
１４  ＵＳＢ出力端子
１５  交流−直流変換回路
１５ａ  一次側整流回路
１５ｂ  スイッチング回路
１５ｃ  変圧回路
１５ｄ  二次側整流回路
２０  二次電池部
２１  筐体
２２ａ、２２ｂ  ＤＣ入力端子
２３  マイクロＵＳＢ入力端子
２４  充放電回路
２４ａ  充電回路
２４ｂ  放電回路
２４ｃ  制御回路
２５  リチウムイオン電池
２６ａ、２６ｂ  ＵＳＢ出力端子
２７  残量表示ランプ
３０  充電／蓄電用ＵＳＢケーブル
３１  ＵＳＢ端子
３２  マイクロＵＳＢ端子
１００  充電装置
【図１】
0003178882.tif 000003
【図２】
0003178882.tif 000004
【図３】
0003178882.tif 000005
【図４】
0003178882.tif 000006
【図５】
0003178882.tif 000007
【図６】
0003178882.tif 000008
【図７】
0003178882.tif 000009
【図８】
0003178882.tif 000010
【図９】
0003178882.tif 000011
【図１０】
0003178882.tif 000012
【図１１】
0003178882.tif 000013
【図１２】
0003178882.tif 000014